(57)【要約】【課題】防食電流や電位分布が良好に得られ、水路の防食を安定的に行うことが可能な、金属製の水路の電気防食方法を提供すること。【解決手段】電源装置２の陰極端子２２と金属製の水路１０とを導通可能に接続するとともに、電源装置２の陽極端子２１と線状の通電電極３とを導通可能に接続し、電源装置２から防食電流を流して水路１０を防食する金属製の水路の電気防食方法である。水路１０内を流れる水の中に、その流れに沿い且つ水路１０の内面に略平行に通電電極３を配して通電する。通電電極３は、陽極端子２１にループ状に接続することが好ましい。通電電極３は通水性の支持管３１内に配し、支持管３１の両端部３１ａ、３１ｂを水路１０内の水面から出しておくことが好ましい。【選択図】  図１
2004359972.tif 000002
【特許請求の範囲】
【請求項１】
電源装置の陰極端子と金属製の水路とを導通可能に接続するとともに、前記電源装置の陽極端子と線状の通電電極とを導通可能に接続し、前記電源装置から防食電流を流して前記水路を防食する金属製の水路の電気防食方法であって、
前記通電電極を、前記水路内を流れる水の中に、その流れに沿い且つ該水路の内面に略平行に配する金属製の水路の電気防食方法。
【請求項２】
前記通電電極を前記陽極端子にループ状に接続する請求項１記載の金属製の水路の電気防食方法。
【請求項３】
前記通電電極を通水性の支持管内に配する請求項１又は２記載の金属製の水路の電気防食方法。
【請求項４】
前記支持管の両端部を前記水路内の水面から出しておく請求項１〜３の何れかに記載の金属製の水路の電気防食方法。
【請求項５】
前記電源装置の出力に基づいて前記通電電極の高さを調整する請求項１〜４の何れかに記載の金属製の水路の電気防食方法。
【請求項６】
前記水の中に照合電極を配し、該照合電極に基づく前記水路の電位に応じて前記通電電極を位置決めする請求項１〜５の何れかに記載の金属製の水路の電気防食方法。
【請求項７】
前記照合電極を通水性のガイド管内に配するとともに、該ガイド管の両端部を前記水路内の水面から出しておく請求項１〜６の何れかに記載の金属製の水路の電気防食方法。
【請求項８】
電源装置と、該電源装置の陽極端子に導通可能に接続される線状の通電電極とを備えた金属製の水路の電気防食装置であって、
前記通電電極が、前記水路内を流れる水の中に、その流れに沿い且つ該水路の内面に略平行に配されている金属製の水路の電気防食装置。
【請求項９】
前記通電電極が前記陽極端子にループ状に接続されている請求項８記載の金属製の水路の電気防食装置。
【請求項１０】
前記通電電極が通水性の支持管内に配されている請求項８又は９に記載の金属製の水路の電気防食装置。
【請求項１１】
前記支持管は、両端部が前記水路内の水面から出るように配されている請求項８〜１０の何れかに記載の金属製の水路の電気防食装置。
【請求項１２】
前記通電電極が前記水路内の水位に対して上下動可能に配されている請求項８〜１１の何れかに記載の金属製の水路の電気防食装置。
【請求項１３】
前記水の中に配される照合電極と、該照合電極が内部に配される通水性のガイド管とを備えており、該ガイド管は、両端部が前記水路内の水面から出るように配されている請求項８〜１２の何れかに記載の金属製の水路の電気防食装置。
【請求項１４】
前記電源装置の出力が遠隔監視可能に設けられている請求項８〜１３の何れかに記載の金属製の水路の電気防食装置。
【請求項１５】
前記水の中に配された前記照合電極に基づく前記水路の電位に応じて前記通電電極への出力を制御するように設けられている請求項１３記載の金属製の水路の電気防食装置。
【発明の詳細な説明】
【０００１】
【発明の属する技術分野】
本発明は、金属製の水路の電気防食方法及び装置に関する。
【０００２】
【従来の技術及び発明が解決しようとする課題】
上水路等の水路を道路や河川等を横断させて引くときには、鋼製の水路橋が採用される場合があり、上水による鋼製水路橋の腐食に伴うせん孔を防止する上で、この水路橋も防食する必要がある。従来、鋼製の水路橋の防食は、水路橋の内側面に、水路橋の長手方向に所定間隔（例えば４ｍ）おきに白金メッキチタン電極、白金メッキタンタル電極等からなる棒状の通電電極を縦に多数配し、その上下の端部をステンレス性のサドルで固定し、該通電電極に直流電源装置から防食電流を流して行っていた。
【０００３】
ところで、上水等の抵抗率の高い防食環境では、直流電流が効率よく流れるように、多数の前記通電電極をむき出しの状態で、多数設置しなければならないため、通電電極の設置作業や交換作業も多くなり、その費用や工期も嵩んでいた。また、多数の前記通電電極を必要とするため、防食のための消費電力も多くならざるを得なかった。
【０００４】
これまで、水道管や冷却管等の小口径（φ５０ｍｍ以下）の管状の水路の電気防食技術については、線状の通電電極を用いた技術として、下記特許文献１や特許文献２に記載の技術が提案されているが、上述のような水路橋等の大型の金属製の水路についても、新たな防食技術が望まれていた。
【０００５】
【特許文献１】
特許第３３４０６８４号公報
【特許文献２】
特公平５−２４２３５号公報
【０００６】
従って、本発明の目的は、防食電流や電位分布が良好に得られ、施工性も良好で安定的に水路の防食を行うことが可能な、金属製の水路の電気防食方法及び装置を提供することにある。
【０００７】
【課題を解決するための手段】
本発明は、電源装置の陰極端子と金属製の水路とを導通可能に接続するとともに、前記電源装置の陽極端子と線状の通電電極とを導通可能に接続し、前記電源装置から防食電流を流して前記水路を防食する金属製の水路の電気防食方法であって、前記通電電極を、前記水路内を流れる水の中に、その流れに沿い且つ該水路の内面に略平行に配する金属製の水路の電気防食方法を提供することにより、前記目的を達成したものである。
【０００８】
また、本発明は、電源装置と、該電源装置の陽極端子に導通可能に接続される線状の通電電極とを備えた金属製の水路の電気防食装置であって、前記通電電極が、前記水路内を流れる水の中に、その流れに沿い且つ該水路の内面に略平行に配されている金属製の水路の電気防食装置を提供することにより、前記目的を達成したものである。
【０００９】
【発明の実施の形態】
以下、本発明を、その好ましい実施の形態に基づいて図面を参照しながら説明する。
【００１０】
図１は、本発明の金属製の水路の電気防食装置（以下、単に防食装置ともいう。）を、鋼製の水路橋の電気防食に適用した一実施形態を模式的に示すものである。これらの図において、符号１は防食装置、１０は鋼製の水路橋（水路）、１１は水路橋１０の蓋部材を示している。
【００１１】
図１に示すように、防食装置１は、電源装置２と、電源装置２の陽極端子２１に導通可能に接続された線状の通電電極３と、水路橋１０に接続されて当該水路橋１０の電位を測定する照合電極４とを備えている。水路橋１０は電源装置２の陰極端子２２に導通可能に接続されている。
【００１２】
水路橋１０は、Ｕ字状の内面形状を有しており、その上方には通常は蓋部材１１が取り付けられて塞がれている。
【００１３】
電源装置２は、従来から外部電源方式の電気防食に用いられている、いわゆる直流電源装置であり、その整流部２０に陽極端子２１及び陰極端子２２を備えている。
【００１４】
通電電極３は、水路橋１０内を流れる水の中に、その流れに沿い且つ水路橋１０の内面（内側面及び底面）に略平行に配されている。また、通電電極３は、その軸芯が水路橋１０の幅方向の中央線上に略位置するように配されている。
【００１５】
通電電極３は、その長さに比例した電圧降下（ＩＲ）を考慮すると、抵抗値が０．０３〜０．７Ω／ｍ、特に０．０３〜０．２Ω／ｍとすることが好ましい。
【００１６】
通電電極３は、後述する支持管３１への挿入や支持管３１からの取り出しを考慮すると、弾性率が０．８×１０５〜１．２×１０５Ｎ／ｍ２程度の適度の弾性を有していることが好ましい。
【００１７】
通電電極３は、水路橋１０の寸法、水路橋１０内を流れる水の水質や流速、水位に応じて適宜の長さ及び本数に設定することができるが、施工性、線状電極の支持管３１への挿入を考慮すると、少なくとも水路橋１０の内面に略平行な部分３０の長さは、５〜５０ｍ、特に５〜３０ｍとすることが好ましい。
【００１８】
通電電極３は、線状電極１本当たりの許容電流、線状電極の支持管３１への挿入を考慮すると、断面積が０．２〜１．７７ｍｍ２、特に０．７９〜１．７７ｍｍ２であることが好ましい。
【００１９】
通電電極３は、上述のような特性を有する材質であれば、特に材質に制限はない。通電電極３の材質としては、例えば、Ｔｉ−Ｐｔ（白金めっき）、Ｃｕ−Ｎｂ−Ｐｔ（白金クラッド）線状電極が挙げられられる。
【００２０】
通電電極３は、電源装置２の陽極端子２１にループ状に接続されている。即ち、通電電極３の両端部が陽極端子２１に導通可能に接続されている。このため、仮に通電電極３が切れても電気防食のための回路は形成されたままなので、水路橋１０の電気防食は引き続き行われる。
【００２１】
隣り合う電気防食装置１の通電電極３間の距離Ｌは、水路の断面形状及び水路内面の塗装の剥離状況等に応じて適宜設定されるが、電位分布を考慮すると、０．５〜２ｍ、特に０．５〜１ｍとすることが好ましい。
【００２２】
通電電極３の水路橋１０の内面に略平行な部分３０の水面からの深さｄは、水路橋１０の寸法、水路橋１０内を流れる水の水質や流速、後述の照合電極に基づく水路橋１０の電位等に応じて設定することができるが、均一な電流分布や電位分布がより得やすい点を考慮すると、０．１〜０．５ｍ、特に０．２〜０．５ｍとすることが好ましい。
【００２３】
通電電極３は、通水性の支持管３１内に配されている。支持管３１は、側面視Ｕ字状の形態を有しており、通電電極３を水路橋１０の内面に略平行となるように支持する。
【００２４】
支持管３１は、その両端部３１ａ及び３１ｂが水路橋１０内の水面から出るように配されている。本実施形態では、両端部３１ａ及び３１ｂは蓋部材１１の上面から上に出るように取り付けられている。これにより、通電電極３の交換作業を行うときは、支持管３１の端部３１ａ又は３１ｂから通電電極３を出し入れするだけでよく、蓋部材１１を取り外したり、水路橋１０の通水を止めずに済むため、作業効率が大幅に向上する。
【００２５】
支持管３１は角部が所定の曲率で湾曲されている。これにより、通電電極３の支持管３１への挿入及び支持管３１からの引き出しがスムーズに行えるようになる。
【００２６】
支持管３１は、通電電極３の表面に水が接触できるように通水性を有している。本実施形態においては、支持管３１には、通電電極３が水路橋１０の内面に対して略平行になる部分に対応して多数の孔（図示せず）が設けられている（以下、この部分を有孔部という。）。該孔の径、及び該有孔部の開口率（開口面積率）は、材質、強度、開孔コスト等に応じて適宜設定される。より良好な電流分布や電位分布が得られる点や支持管３１の強度等を考慮すると、一つの前記孔の開口面積は１９．６ｍｍ２（φ５ｍｍ）〜１７７ｍｍ２（φ１５ｍｍ）、特に７９ｍｍ２（φ１０ｍｍ）〜１１３ｍｍ２（φ１２ｍｍ）とすることが好ましく、前記有孔部の開孔率は、２５〜４０％、特に２５〜３０％とすることが好ましい。
【００２７】
支持管３１は、電極からの電流による電食及び発生する酸素ガスによる劣化等を考慮すると、その一部又は全体が電気絶縁性の材質で設けられていることが好ましい。支持管３１の材質としては、ポリ塩化ビニル、フッ素系樹脂、ポリエチレン、ポリプロピレン、ポリカーボネート等の公知の電気絶縁性の材質が挙げられる。
【００２８】
本実施形態では、水路橋１０の蓋部材１１に、吊設治具３２が水路橋１０の長さ方向に所定間隔をおいて取り付けられており、この吊設治具３２によって支持管３１が吊設されている。吊設治具３２は、蓋部材１１にナットで取り付けられる吊りボルト３２ａと、その先端部に取り付けられたハンガー３２ｂとから構成されている。そして、吊りボルト３２ａの蓋部材１１への締め付け具合によってその長さを調整し、支持管３１の吊設位置を調整できるように設けられている。
【００２９】
また、水路橋１０の蓋部材１１には、上下方向に伸びる隙間３３ａを有するガイド部材３３が、水路橋１０の長さ方向に所定間隔をおいてクランプ（図示せず）で取り付けられており、この隙間３３ａの間に支持管３１の前記有孔部が配されている。そして、ガイド部材の隙間３３ａに沿って支持管３１を上下動させ、前記吊り部材３２による吊設高さを調整することで、蓋部材１１を取り外したり、水路橋１０の通水を止めずに通電電極３の高さを容易に変更できるようになっている。
【００３０】
照合電極４は、従来からこの種の電気防食装置に用いられている通常のものを用いることができる。本実施形態では、照合電極４には、飽和銀塩化銀電極が用いられている。
【００３１】
照合電極４は、通水性のガイド管４１内に配されている。ガイド管４１は、水路橋１０の内面（内側面部及び底面部）近傍に沿って固定手段４２で固定されている。ガイド管４１は、両端部４１ａ及び４１ｂが水路橋１０内の水面から出るように固定されている。本実施形態では、両端部４１ａ及び４１ｂが蓋部材１１の上面から上に出るように取り付けられている。これにより、照合電極４を移動させて電位分布を測定するときに、ガイド管４１の端部４１ａ又は４１ｂを通して照合電極４を出し入れするだけでよく、蓋部材１１を取り外したり、水路橋１０の通水を止めずに済むため、作業効率が大幅に向上する。
【００３２】
ガイド管４１は角部が所定の曲率で湾曲されている。これにより、照合電極４のガイド管４１への挿入及びガイド管４１からの引き出しがスムーズに行えるようになる。
【００３３】
ガイド管４１は、照合電極４の表面に水が接触できるように通水性を有している。本実施形態においては、ガイド管４１における照合電極４による電位測定に対応する部分に多数の孔（図示せず）が設けられている。この部分の開孔はガイド管４１の強度、電位測定ポイントの数を考慮すると、１〜２０ｃｍに一箇所、特に１〜１０ｃｍに一箇所孔をあけることが好ましい。
【００３４】
ガイド管４１は、電食、電位測定上の遮蔽等を考慮すると、その一部又は全体が電気絶縁性の材質で設けられていることが好ましい。ガイド管４１の材質としては、前記支持管３１と同様に、ポリ塩化ビニル、フッ素系樹脂、ポリエチレン、ポリプロピレン、ポリカーボネート等の公知の電気絶縁性の材質が挙げられる。
【００３５】
ガイド管４１の固定手段４２には、本実施形態では、伸縮自在の支持サポート４２ａ、補強パイプ４２ｂ、並びにこれらガイド管４１、支持サポート４２ａ及び補強パイプ４２ｂを連結固定するクランプ４２ｃが採用されている。
【００３６】
図１に示すように、防食装置１は、端末装置５を備えている。端末装置５は、電源装置２から出力データ（監視データ：直流電圧値又は直流電流値）を収集し、通信ネットワーク１００を介して遠隔地の監視装置６に送信する。
【００３７】
端末装置５は、通信手段５０と、データ収集手段５１とを備えている。データ収集手段５１は、マイクロコンピュータユニットで構成されている。データ収集手段５１は、マイクロコンピュータを構成するハードウェア（演算処理装置、記憶装置（主記憶及び補助記憶装置）、入力装置、出力装置、クロック、バス等）と、該ハードウェアの記憶装置に保持されたソフトフェアとを備えている。このソフトウェアは、該ハードウェアを、防食装置１から前記出力データを収集し、該出力データを定期的に自動で又はオペレータの操作に応じて通信手段５０を介して前記監視装置６に送信するように機能させる。
【００３８】
監視装置６は、通信ネットワーク１００を介して前記端末装置５の前記通信手段５０と通信する通信手段６０と、前記データ収集手段５１から通信手段５０を通じて送信された前記出力データを受信し、記憶装置に保存し、出力装置に出力する管理手段６１とを備えている。
【００３９】
監視装置６は、具体的には、通信手段６０を備えたコンピュータシステムで構成され、当該コンピュータシステムを構成するハードウェア（演算処理装置、記憶装置（主記憶及び補助記憶装置）、入力装置、出力装置、クロック、バス等）と、該ハードウェアの記憶装置に保持された監視用ソフトウェアとを備えている。この監視用ソフトウェアは、該ハードウェアを前記管理手段６１として機能させる。
【００４０】
前記構成の監視装置６においては、定期的に自動で、若しくは監視装置６のオペレータの操作に基づいて、端末装置５から送信される電源装置２の出力データが、端末装置５に関連づけられて前記記憶装置に適宜保存されるとともに、ＣＲＴやプリンターなどの出力装置に出力され、遠隔で集中監視される。そして、前記管理手段６１による前記出力データの結果に基づいて、作業員によって前記通電電極３の上げ下げが行われる。例えば、通電電極３の出力を遠隔で監視しておくことで、水路橋１０内を流れる水の水位が下がり、通電電極３が無負荷状態となって電流電圧が急上昇した場合等において、水路橋内の水位の上下動を遠隔地から監視することができる。これにより、水路橋１０の水位状況に合わせて通電電極３の高さ位置を決めることができる。
【００４１】
端末装置５及び監視装置６の各通信手段５０、６０は、それらの間の通信形態、データの伝送形態に応じて適宜のものを選択することができる。該通信手段としては、例えば、モデム、ターミナルアダプタ、各種ルータ等が挙げられる。各通信手段による前記出力データの伝送形態は、前記通信ネットワーク１００の伝送形態に応じてアナログ、デジタル（パケット通信を含む）いずれの伝送形態であってもよい。
【００４２】
端末装置５の通信手段５０と監視装置６の通信手段６０との通信を媒介する通信ネットワーク１００の通信形態は、特に制限はない。該通信形態には、例えば、一般電話回線、専用回線、インターネットあるいはプロトコル変換を伴うこれらの組み合わせを介した通信形態を採用することができる。また、前記通信ネットワーク１００の通信形態は、有線、無線の何れの通信形態でもよい。
【００４３】
例えば、図１に示すように、端末装置５の通信手段５０に無線パケット網１０２に接続可能な通信手段を搭載しておくとともに、監視装置６をインターネット１０１上に構築しておき、さらに前記無線パケット網１０２を、ゲートウェー（図示せず）を介してインターネット１０１と接続可能に設けておく。これにより、水路橋１０の防食状況を、端末装置５から得られる前記出力データに基づいて、一括して遠隔監視することでができる。また、監視装置６に集約される出力データを特定の者が閲覧可能なウェブページとして監視装置６の補助記憶装置に登録することで、当該監視装置６にアクセス可能な特定の者が任意の場所で出力データを閲覧できるようにすることもできる。
【００４４】
次に、本発明の金属製の管路の電気防食方法を、その好ましい実施形態として、前記防食装置１を使用した一実施形態に基づいて説明する。
【００４５】
図１に示すように、電源装置２の陰極端子２２と水路橋１０とを導通可能に接続するとともに、電源装置２の陽極端子２１と通電電極３とを導通可能に接続し、電源装置２から通電する。
【００４６】
そして、前記ガイドカバー３内にリード線を有する照合電極４を配し、照合電極４に基づく水路橋１０の電位を測定し、その電位分布が最も良い高さに通電電極３の高さを設定するとともに、前記電源装置２の出力を設定する。照合電極４に基づく水路橋１０の電位測定は定期的に行うこともでき、該電位測定によって電位不良の箇所が見つかった場合には、水位が上昇していると判断し、電位分布が略均一となるように通電電極３の高さを変更することができる。
【００４７】
防食開始後は、前記監視装置６に出力される前記出力データを前記端末装置５及び監視装置６によって監視し、これに基づいて通電電極３の高さを変更する。例えば、前記電源装置２による通電電極３への出力が許容値を超えて高くなった場合には、水位が低下したものと判断し、通電電極３を下方に下げ、照合電極４に基づく前記電位を再び測定し、電位分布が略均一となるように通電電極３の高さ位置を固定する。このようにして、電源装置２からの出力を遠隔監視することで、通電電極３の高さを変更し、水路橋１０の防食状態を安定的に維持する。
【００４８】
以上説明したように、本実施形態の防食装置１及びこれを用いた防食方法によれば、通電電極３を、水路橋１０内を流れる水の中に、その流れに沿い且つ水路橋１０の内面（内側面部及び底面部）に略平行に通電電極３を配して通電するので、防食電流や電位分布が良好に得られ、水路の防食を安定的に行うことが可能である。
【００４９】
通電電極３を通水性の支持管３１内に配し、該支持管３１を上方より支持しているので、水路橋１０の通水を止めずに、支持管３１を上下動させることによって簡便に通電電極３を上下動させることができる。
【００５０】
また、支持管３１を、その両端部３１ａ及び３１ｂが蓋部材１１の上面から出るように配設しているので、通電電極３の交換作業を行うときは、支持管３１の端部３１ａ又は３１ｂから通電電極３を出し入れするだけでよく、蓋部材１１を取り外したり、水路橋１０の通水を止めずに済むため、作業効率が大幅に向上する。
【００５１】
また、通電電極３を電源装置２の陽極端子２１にループ状に接続しているので、通電電極が仮に切れた場合でも、通電状態を維持することができる。
【００５２】
ガイド管４１を、その両端部４１ａ及び４１ｂが蓋部材１１の上面から出るように固定されているので、照合電極を用いた電位分布の測定を行うときは、ガイド管４１の端部４１ａ又は４１ｂから照合電極４を出し入れするだけでよく、蓋部材１１を取り外したり、水路橋１０の通水を止めずに済むため、作業効率が大幅に向上する。
【００５３】
また、電源装置２からの出力を遠隔監視することで、水路橋１０内の水位に応じて通電電極３の位置を変更し、水路橋１０の防食状態を安定的に維持することができる。
【００５４】
本発明は、前記実施形態に制限されるものではなく、本発明の趣旨を逸脱しない範囲において適宜変更することができる。
【００５５】
例えば、前記実施形態では、直線状に伸びる水路に適用したが、本発明は直線状の水路への適用に限られるものではなく、曲線状に伸びる水路や傾斜した水路或いはこれらが組み合わされた水路にも適用することができる。
【００５６】
また、前記実施形態では、本発明を鋼製の水路橋の電気防食に適用したが、本発明は、鋼以外の金属製の水路橋や、水路橋以外の水路の電気防食にも適用することができる。
【００５７】
本発明は、前記実施形態のように、通電電極を電源装置の陽極端子にループ状に接続することが好ましいが、必ずしもループ状に接続しなくてもよい。
【００５８】
また、本発明の金属製の水路の防食方法及び装置は、照合電極を前記ガイド管の定位置に固定しておき、該照合電極に基づく水路の電位に応じ、電源装置からの通電電極への出力を制御するように設けることもできる。この電源装置の出力の制御は、例えば、前記端末装置及び前記遠隔装置に、前記電位に応じて電源装置の出力回路の制御回路を制御する機能を付加することで、前記電位が許容範囲から外れた場合に、当該電位が許容範囲内に収まるように電源装置の出力を遠隔によって行うこともできる。
【００５９】
【実施例】
以下、本発明を実施例によりさらに具体的に説明する。
【００６０】
上水用の下記水路橋の二箇所において、その内面に略平行となるように下記通電電極を下記支持管内に配設し、下記条件で電気防食を行った。そして、下記照合電極に基づいて通電時における水路の電位を測定した。その結果を表１に示す。
【００６１】
＜水路橋＞
材質：鋼材
深さ：３４００ｍｍ
幅：２８００ｍｍ
全長：４１４ｍ
【００６２】
＜通電電極＞
電極材：Ｃｕ−Ｎｂ−Ｐｔ（白金クラッド線状電極）
寸法形状：φ０．７８ｍｍ×１０ｍ
抵抗：０．０３３４Ω／ｍ
弾性率：０．４８５×１０５Ｎ／ｍ２
【００６３】
＜支持管＞
材質：耐衝撃性硬質ポリ塩化ビニル（ＨＩＶＰ）
呼び径：４２
一つの孔の面積：０．９５ｃｍ２（φ１１ｍｍ）
有孔部の開孔率：２５％以上
【００６４】
＜照合電極＞
電極の種類：飽和銀塩化銀電極
【００６５】
＜ガイド管＞
材質：ＨＩＶＰ
呼び径：４２
一つの孔の面積：０．９５ｃｍ２（φ１１ｍｍ）
有孔部の開孔：１０ｃｍ間隔で１列に開孔
設置条件：管の軸芯が水路橋の内面から６０ｍｍに位置するように設置
【００６６】
＜通電電極設置条件＞
流速：約１ｍ／ｓ
水位：１．６５ｍ
内面に平行な部分の水面からの深さ：２０ｃｍ
【００６７】
＜通電条件＞
照合電極の位置Ａ：電流、０．６５Ａ；極間電圧、２２．２Ｖ
照合電極の位置Ｂ：電流、０．５３Ａ；極間電圧、２０．０６Ｖ
【００６８】
＜照合電極による電位の測定＞
前記二箇所について各ガイド管内における通電電極の長さ方向略中央部において、下記イ〜ハの位置（図２参照）で照合電極に基づく水路橋の電位を調べた。
イ：水路橋の底面部中央
ロ：内側面部と底面部の作る角部
ハ：内側面部（底面部からの高さ１ｍの位置）
【００６９】
【表１】
2004359972.tif 000003
【００７０】
表１に示すように、測定した何れの箇所においても、水路橋の底面部中央、角部及び内側面において略同じ電位が得られており、本発明によれば、防食電位分布が良好に得られ、水路橋の防食を安定的に行えることが判った。
【００７１】
【発明の効果】
本発明によれば、防食電流や電位分布が良好に得られ、水路の防食を安定的に行うことが可能な、金属製の水路の電気防食方法及び装置が提供される。
【図面の簡単な説明】
【図１】本発明の金属製の水路の電気防食装置を、鋼製の水路橋の電気防食に適用した一実施形態を模式的に示す一部を断面視した図である。
【図２】同実施形態の防食装置における通電電極の支持管及び照合電極のガイド管の配置を、水路の長手方向からみた状態を模式的に示す図である。
【符号の説明】
１  金属製の水路の電気防食装置
２  電源装置
３  通電電極
３１  支持管
３１ａ、３１ｂ  端部
４  照合電極
４１  ガイド管
４１ａ、４１ｂ  端部
５  端末装置
６  監視装置
１０  水路橋（水路）
１００  通信ネットワーク
【図１】
2004359972.tif 000004
【図２】
2004359972.tif 000005